(57)【要約】【課題】レンズ径の異なる各種サイズのハードコンタクトレンズを、その脱落を阻止しつつ、有利に収納、保持することの出来るレンズホルダを備えたＨＣＬ用収納ケースを提供する。【解決手段】レンズホルダ１６において、一対のアーム部２４，２６のレンズ収納部２０における開口溝２４ｃ，２６ｃの両側壁２４ａ，２４ｂ；２６ａ，２６ｂが、それぞれ、一対のアーム部２４，２６における対応する側壁間において、所定間隙の非直線状のスリット３０ａ，３０ｂを、一対のアーム部２４，２６の垂下方向に形成するように構成し、且つそれら開口溝の両側壁の対応するものの間に形成される二つの非直線状のスリット３０ａ，３０ｂが、非対称となるように配設される構成とした。【選択図】  図４
2019080676.tif 000002
【特許請求の範囲】
【請求項１】
所定の液体が収容される有底筒形状の容器本体と、該容器本体の開口部に着脱可能に取り付けられて、該容器本体の内部に密閉空間を形成し得るキャップ部材と、該キャップ部材の内側に固設されて、該キャップ部材から垂下するように延び、前記容器本体の内部に挿入される、ハードコンタクトレンズが収納、保持されるレンズ収納部を備えたレンズホルダとを有するハードコンタクトレンズの収納ケースにして、
前記レンズホルダが、少なくとも先端側部位にそれぞれコ字状断面を呈する開口溝が形成されて、それら開口溝の開口部を互いに対向させるようにして垂下された、ハードコンタクトレンズの径方向両側部位を支持する一対のアーム部を備え、該一対のアーム部の先端を拡開するようにしてそれぞれの開口溝内に入り込ませたハードコンタクトレンズを収納、保持する前記レンズ収納部が、該一対のアーム部間に形成されてなると共に、該一対のアーム部のレンズ収納部における開口溝の両側壁が、それぞれ、該一対のアーム部における対応する側壁間において、所定間隙の非直線状のスリットを、該一対のアーム部の垂下方向に延びるように形成しており、且つそれら開口溝の両側壁の対応するものの間に形成される二つの非直線状のスリットが、非対称となるように配設されていることを特徴とするハードコンタクトレンズ用収納ケース。
【請求項２】
前記非直線状のスリットが、湾曲した波形形状において、前記一対のアーム部の垂下方向に延びるように、形成されている請求項１に記載のハードコンタクトレンズ用収納ケース。
【請求項３】
前記キャップ部材と前記レンズホルダとが一体成形されてなる樹脂成形品にて、構成されている請求項１又は請求項２に記載のハードコンタクトレンズ用収納ケース。
【請求項４】
前記レンズホルダが、左右のハードコンタクトレンズをそれぞれ収納、保持するレンズ収納部を与える、所定厚さの角筒形状を呈する構造において、その角筒形状の主たる面が互いに平行となるように、二連の形態で配設されている請求項１乃至請求項３の何れか１項に記載のハードコンタクトレンズ用収納ケース。
【請求項５】
前記二連のレンズホルダが、それらの厚さ方向に所定間隙を隔てて対向、位置させてなる形態において、前記キャップ部材の天板部内面に固設されてなると共に、該キャップ部材の天板部に対する該二連のレンズホルダのそれぞれの固設部位の周囲が薄肉部とされ、該二連のレンズホルダの固設部位の間に位置する薄肉部が中央ヒンジ部として構成される一方、該二連のレンズホルダの対向方向外側に位置する両側の薄肉部がそれぞれ外側ヒンジ部とされて、それら中央ヒンジ部と二つの外側ヒンジ部にて、該二連のレンズホルダの固設部位が、該中央ヒンジ部を頂部とする外方に凸なる山形形状の押込部とされており、該押込部の該キャップ部材内方への押込みによって、それらヒンジ部のヒンジ作用にて、該押込部が反転し、該押込部が該キャップ部材内方に凸なる山形形状となることにより、前記二連のレンズホルダが、該キャップ部材の天板部からＶ字状に拡開されてなる形態に変位せしめられるように構成したことを特徴とする請求項４に記載のハードコンタクトレンズ用収納ケース。
【発明の詳細な説明】
【技術分野】
【０００１】
本発明は、ハードコンタクトレンズ用収納ケースに係り、特に、サイズの異なる各種のハードコンタクトレンズを有利に収納、保持し得るようにした収納ケースに関するものである。
【背景技術】
【０００２】
従来から、コンタクトレンズ（以下、ＣＬという）は、その装用中を除けば、容器内に収容された液体中に浸漬されて、保存されるようになっている。そして、ＣＬは、かかる容器内において、そこに収容された専用の液剤により、洗浄、消毒、表面濡れ性の改善等の作用（処理）を受け、次回の装用までの間に、レンズとしての機能の維持や回復が行われるようになっている。
【０００３】
ところで、そのような保存容器内に、目的とするＣＬを収容せしめるに際しては、かかる保存容器内からのＣＬの取り出しを容易と為すと共に、保存中は容器内でのＣＬの動きを制限することにより、安定的に且つ傷等が付かないように保持すべく、レンズ収納部を設けたホルダを用い、そのレンズ収納部内にＣＬを収納した形態において、容器内の液体中に浸漬せしめられるようになっているのであるが、特に、ＣＬの中でも、比較的剛性のある、形状保持性の良好なハードコンタクトレンズ（以下、ＨＣＬという）にあっても、それを保持するホルダについて、種々の提案が為されており、例えば、ＨＣＬが収納されるレンズ収納部については、実用新案登録第２５１２４５８号公報や実用新案登録第３１９３８８６号公報等において、その一つの形態が、明らかにされている。
【０００４】
すなわち、それら公報に提案されている保存容器におけるホルダは、何れも、ＨＣＬの径方向に対応する周縁部が挿入、保持される開口溝を設けた一対の挟持アームを相対向して設けてなる、所謂チューリップ形状乃至は角筒形状を呈するものであって、その一対の挟持アームの先端部間の間隙を拡開するようにして、二本の指にて把持したＨＣＬを押し込んで、それら一対の挟持アーム間にＨＣＬを収納、保持せしめ、そしてその状態において、容器内に収容された液体中に浸漬せしめられるようになっているのである。また、かかるＨＣＬの装用に際しては、ＨＣＬを二本の指にて把持した状態において、一対の挟持アームの間隙が拡開されるようにして引き出すことにより、ＨＣＬを取り出し、目的とする眼への装用が行われるようになっている。
【０００５】
しかしながら、そのような従来の保存容器におけるレンズホルダにあっては、一対の挟持アームの対応する壁部間に形成されるスリット（間隙）は、それら一対の挟持アームの両側において、換言すれば、かかる一対の挟持アームの対向方向に直角な方向において、それぞれ、挟持アームの立設方向に所定幅で直線的に延びる形態において形成されているところから、小さなサイズ（小径）のＨＣＬを、一対の挟持アーム間に設けられるレンズ収納部内に収納せしめた場合において、かかる小径のＨＣＬのレンズ収容部内における動き得る範囲が大きくなり、そのために、流水によりＨＣＬを濯ぐとき等において、ＨＣＬが一対の挟持アームの両側部に設けられているスリットから抜け出し、外部に脱落する問題が惹起されることとなる。
【０００６】
このため、一般に用いられている、レンズ径が８〜１１ｍｍ程度のＨＣＬを収納、保持するべく、レンズ収納部のサイズの異なる複数のレンズホルダを準備する必要があり、これによって、レンズホルダのコスト上昇を招くこととなることに加えて、ＨＣＬのサイズに応じたレンズホルダの選択という、面倒な判断が必要となり、またレンズホルダの誤った選択によって、ＨＣＬの脱落等のトラブルを招く恐れも内在するものであった。
【先行技術文献】
【特許文献】
【０００７】
【特許文献１】実用新案登録第２５１２４５８号公報
【特許文献２】実用新案登録第３１９３８８６号公報
【発明の概要】
【発明が解決しようとする課題】
【０００８】
ここにおいて、本発明は、かくの如き事情を背景にして為されたものであって、その解決課題とするところは、レンズ径の異なる各種サイズのＨＣＬを有利に収容、保持することの出来るレンズホルダを備えたハードコンタクトレンズ用収納ケースを提供することにあり、また他の課題とするところは、一つのレンズホルダにて、レンズ径が７．６ｍｍから１１．５ｍｍまでの非常に幅広い規格のＨＣＬに対応したＨＣＬ用収納ケースを提供することにある。
【課題を解決するための手段】
【０００９】
そして、本発明は、上記せる課題を解決するために、以下に列挙せる如き各種の態様において、好適に実施され得るものであるが、また、以下に記載の各態様は、任意の組合せにおいて採用可能である。なお、本発明の態様乃至は技術的特徴は、以下に記載のものに何等限定されることなく、明細書全体の記載及び図面に開示の発明思想に基づいて認識され得るものであることが、理解されるべきである。
【００１０】
そこで、本発明にあっては、先ず、前記した課題を解決するべく、（ａ）所定の液体が収容される有底筒形状の容器本体と、（ｂ）該容器本体の開口部に着脱可能に取り付けられて、該容器本体の内部に密閉空間を形成し得るキャップ部材と、（ｃ）該キャップ部材の内側に固設されて、該キャップ部材から垂下するように延び、前記容器本体の内部に挿入される、ＨＣＬが収納、保持されるレンズ収納部を備えたレンズホルダとを有するＨＣＬの収納ケースにして、前記レンズホルダが、少なくとも先端側部位にそれぞれコ字状断面を呈する開口溝が形成されて、それら開口溝の開口部を互いに対向させるようにして垂下された、ＨＣＬの径方向両側部位を支持する一対のアーム部を備え、該一対のアーム部の先端を拡開するようにしてそれぞれの開口溝内に入り込ませたＨＣＬを収納、保持する前記レンズ収納部が、該一対のアーム部間に形成されてなると共に、該一対のアーム部のレンズ収納部における開口溝の両側壁が、それぞれ、該一対のアーム部における対応する側壁間において、所定間隙の非直線状のスリットを、該一対のアーム部の垂下方向に延びるように形成しており、且つそれら開口溝の両側壁の対応するものの間に形成される二つの非直線状のスリットが、非対称となるように配設されていることを特徴とするＨＣＬ用収納ケースを、その要旨とするものである。
【００１１】
なお、かかる本発明に従うＨＣＬ用収納ケースの好ましい態様の一つによれば、前記非直線状のスリットが、湾曲した波形形状において、前記一対のアーム部の垂設方向に延びるように、形成されている構成が採用されることとなる。
【００１２】
また、そのような本発明に従うＨＣＬ用収納ケースの更に好ましい態様の他の一つによれば、前記キャップ部材と前記レンズホルダとが一体成形されてなる樹脂成形品にて、構成されている。
【００１３】
さらに、本発明に従うＨＣＬ用収納ケースの望ましい別の態様の一つによれば、前記レンズホルダが、左右のＨＣＬをそれぞれ収納、保持するレンズ収納部を与える、所定厚さの角筒形状を呈する構造において、その角筒形状の主たる面が互いに平行となるように、二連の形態で配設されるように、構成される。
【００１４】
そして、本発明にあっては、望ましくは、かかるレンズホルダを二連構造とした構成において、該二連のレンズホルダが、それらの厚さ方向に所定間隙を隔てて対向、位置させてなる形態において、前記キャップ部材の天板部内面に固設されてなると共に、該キャップ部材の天板部に対する該二連のレンズホルダのそれぞれの固設部位の周囲が薄肉部とされ、該二連のレンズホルダの固設部位の間に位置する薄肉部が中央ヒンジ部として構成される一方、該二連のレンズホルダの対向方向外側に位置する両側の薄肉部がそれぞれ外側ヒンジ部とされて、それら中央ヒンジ部と二つの外側ヒンジ部にて、該二連のレンズホルダの固設部位が、該中央ヒンジ部を頂部とする外方に凸なる山形形状の押込部とされており、該押込部の該キャップ部材内方への押込みによって、それらヒンジ部のヒンジ作用にて、該押込部が反転し、該押込部が該キャップ部材内方に凸なる山形形状となることにより、前記二連のレンズホルダが、該キャップ部材の天板部からＶ字状に拡開されてなる形態に変位せしめられるように、構成されることとなる。
【発明の効果】
【００１５】
このように、本発明に従うＨＣＬ用収納ケースにあっては、レンズホルダを構成する一対のアーム部におけるレンズ収納部を形成する対応した側壁間に形成されるスリット（間隙）が、非直線状形態において、それら一対のアーム部の垂下乃至は立設方向に延びるように形成されていると共に、かかる一対のアーム部の対向方向に直角な方向の両側部において、それぞれの非直線状のスリットが、互いに非対称となるように、配設されてなる構造とされているところから、レンズ径の大きなＨＣＬは勿論のこと、レンズ径の小さなＨＣＬにあっても、流水にて濯ぐ場合等、レンズ収納部に保持されているＨＣＬが、あらゆる方向に移動せしめられるようになっても、ＨＣＬが一対のアーム部の両側部に形成されるスリットから抜け落ちる恐れは、全くないのであり、これによって、一つのレンズホルダにて、レンズ径が７．６ｍｍから１１．５ｍｍに至る、非常に幅広い規格のＨＣＬに対応することが出来ることとなり、以て、準備すべきレンズホルダの数を有効に低減せしめ得て、レンズホルダのコスト低減、更にはＨＣＬ用収納ケースとしてのコスト低減も効果的に図り得ることとなったことに加えて、ＨＣＬのサイズの大小に応じてレンズホルダを選択する必要が全くなくなり、その選択の煩雑性を解消し、またそれによるトラブルの発生も効果的に解消されるに至ったのである。
【００１６】
特に、本発明にあっては、一対のアーム部の対応する側壁間にそれぞれ形成される非直線状のスリットが、湾曲した波形形状において、それら一対のアーム部の垂下方向に延びるように、形成せしめられてなる構成を採用することによって、ＨＣＬのレンズ収納部からの抜け出しをより一層効果的に阻止せしめ得ると共に、そのようなＨＣＬのレンズ収納部への収納や、それからの取出し操作をより一層容易に且つ円滑に行い得ることとなる利点があり、また、キャップ部材とレンズホルダとを一体成形せしめてなる樹脂成形品を用いるようにすることによって、部品点数の低減を効果的に図り得て、その製造コストを有利に低減せしめることも可能となるのである。
【図面の簡単な説明】
【００１７】
【図１】本発明に従うＨＣＬ用収納ケースの一例に係るものの概略説明図であって、（ａ）、（ｂ）、（ｃ）及び（ｄ）は、それぞれ、その正面説明図、右側面説明図、平面説明図及び底面説明図である。
【図２】図１に示されるＨＣＬ用収納ケースの更なる説明図であって、（ａ）は、その斜視説明図であり、（ｂ）は、図１（ｂ）におけるＡ−Ａ断面説明図である。
【図３】図１に示されるＨＣＬ用収納ケースを構成するキャップとそれに一体的に設けられたレンズホルダを示す説明図であって、（ａ）及び（ｂ）は、それぞれ、異なる角度からの斜視説明図であり、（ｃ）は、その平面形態説明図である。
【図４】図１に示されるＨＣＬ用収納ケースを構成するレンズホルダの一つを取り出して示す拡大説明図であって、（ａ）は、その斜視説明図であり、（ｂ）は、（ａ）におけるＢ−Ｂ断面説明図である。
【図５】図３に示されるキャップに一体的に設けられたレンズホルダを構成する一対のアーム部の間に形成されるレンズ収納部内に、大小二つのサイズのＨＣＬを収納、保持せしめ、移動限度まで動かしてなる形態を示す説明図であって、（ａ）及び（ｂ）は、それぞれ、その側面説明図［図２（ｂ）におけるＣ−Ｃ断面に相当する図］及び（ａ）におけるレンズホルダ部分のＤ−Ｄ断面説明図であり、（ｃ）は、（ａ）におけるレンズ収納部を拡大して示す説明図である。
【図６】図１に示されるＨＣＬ用収納ケースにおける二連のレンズホルダの変化形態を示す、図１（ｂ）におけるＡ−Ａ断面に相当する説明図であって、（ａ）は、収納ケースを構成する容器本体内に挿入するに際してのレンズホルダの配置形態を示す断面説明図であり、（ｂ）は、容器本体からキャップを取り外した形態において、レンズホルダに対してＨＣＬを収納したり、或いは取り出したりする際のレンズホルダの変位形態を示す断面説明図である。
【発明を実施するための形態】
【００１８】
以下に、本発明の構成を更に具体的に明らかにするために、本発明の代表的な実施形態について、図面に基づいて、詳細に説明することとする。
【００１９】
先ず、図１（ａ）〜（ｄ）及び図２（ａ），（ｂ）には、本発明に従うＨＣＬ用収納ケースの一例が示されている。そこにおいて、ＨＣＬ用収納ケース１０は、所定の液剤が収容される有底筒形状の透明な容器本体１２と、この容器本体１２の上部開口部に対して螺合によって液密に且つ着脱可能に取り付けられて、かかる容器本体１２の内部に密閉空間を形成し得るキャップ１４と、このキャップ１４の内側に固設されて、かかるキャップ１４から垂下するように延びる、容器本体１２内に挿入されるレンズホルダ１６とから、構成されている。また、このレンズホルダ１６は、図２（ｂ）等から明らかな如く、全体として所定厚さの角筒形状を呈するものであって、その二つが、それらの主たる面を対向させて互いに平行に配設されてなる形態の二連構造において、設けられている。そして、それら２つのレンズホルダ１６，１６には、後述するように、装用者の左右（左眼用及び右眼用）のＨＣＬ１８，１８が収納、保持されるレンズ収納部２０，２０が、それぞれ、形成されているのである。なお、容器本体１２内に収容される液剤としては、浸漬されるＨＣＬ１８に対して、洗浄、消毒、表面濡れ性の改善等の作用を為す、従来と同様な液剤が、そのまま、用いられることとなる。
【００２０】
ここで、上記せるＨＣＬ用収納ケース１０を構成する容器本体１２は、キャップ１４が螺合せしめられる上部の開口部位を除く外周面が十二角形状とされており、その上部開口部の外周には、キャップ１４の螺合のための外側ネジ部が形成されている。また、この容器本体１２の内部には、所定の液体を収容する円形の内部空間２２が形成されている。なお、このような容器本体１２は、ポリエチレン、ポリプロピレン、ポリカーボネート等の公知の樹脂材料を用いて、従来と同様にして、成形して得られたものである。
【００２１】
また、容器本体１２の上部開口部外周の外側ネジ部に螺合せしめられて、かかる上部開口部を閉塞するキャップ１４は、図２（ｂ）や図３（ａ）〜（ｃ）に示されるように、天板部１４ａの外周部から所定高さ垂下する、外周面が十二角形状とされた外周筒部１４ｂを有しており、この外周筒部１４ｂの内周面に設けられた内側ネジ部が、容器本体１２の上部開口部の外周部に設けられた外側ネジ部に螺合せしめられることによって、容器本体１２内の上部開口部が液密に閉塞せしめられるようになっている。そして、かかるキャップ１４の天板部１４ａには、その内面（下面）の中心を通って直径方向に延びる仮想線の両側に位置するようにして、所定長さに亘って対向して延びる二連のレンズホルダ１６，１６が、所定厚さの角筒形状において一体的に設けられている。また、それら二連のレンズホルダ１６，１６は、キャップ１４の内側において、天板部１４ａから互いに平行に所定長さ垂下するように立設されてなる形態において、構成されている。なお、このキャップ１４とレンズホルダ１６とは、容器本体１２と同様な樹脂を用いて、一体成形操作によって得られる一体樹脂成形品にて、構成されており、これによって、部品点数の減少、ひいては製造コストの有効な低減が図られている。特に、ここでは、後述するように、レンズホルダ１６は、ＨＣＬ１８の出し入れのために、拡開、変形の容易なものである必要があるところから、それらキャップ１４とレンズホルダ１６を構成する樹脂としては、或る程度の柔軟性を有するものであることが望ましく、特に、ポリプロピレンが好適に用いられることとなる。
【００２２】
そして、そのようなキャップ１４の天板部１４ａの内面に一体的に形成されてなる、角筒形状を呈する二連構造のレンズホルダ１６，１６は、それぞれ、図３（ａ）〜（ｃ）や図４（ａ），（ｂ）に示される如く、キャップ１４の天板部１４ａから互いに平行に垂下するように、相対向して立設された、その角筒形状の厚さを与える所定幅の一対のアーム部２４，２６を備え、それら一対のアーム部２４，２６が、天板部１４ａ側の基部において、相互に連結されて、一体化されていると共に、天板部１４ａの内面に一体的に立設せしめられている。なお、キャップ１４の天板部１４ａの外面には、図１（ｃ）や図２（ａ）から明らかな如く、二連のレンズホルダ１６，１６にそれぞれ対応する位置において、収納されるべき左右のＨＣＬ１８，１８を表示する「Ｌ」及び「Ｒ」の記号が浮彫構造において形成されている。また、そこにおいて、それら一対のアーム部２４，２６は、それぞれ、その幅方向の両端部に所定高さの側壁２４ａ，２４ｂ；２６ａ，２６ｂを備えて、それら両側壁２４ａ，２４ｂ；２６ａ，２６ｂ間に、それぞれ、開口溝２４ｃ，２６ｃを形成しており、そして、それら開口溝２４ｃ，２６ｃの開口部が互いに対向するようにして、それら一対のアーム部２４，２６が立設されているのである。
【００２３】
さらに、それぞれのアーム部２４，２６の先端側部位の背部には、窓部２４ｄ，２６ｄが設けられていると共に、それら窓部２４ｄ，２６ｄよりもアーム部先端側部位の内面には、両側壁２４ａ，２４ｂ；２６ａ，２６ｂをそれぞれ接続するように、円弧状断面の先端側ストッパ部２８ａが設けられている。一方、それら窓部２４ｄ，２６ｄよりもアーム部基部側部位の内面には、両側壁２４ａ，２４ｂ；２６ａ，２６ｂをそれぞれ接続するように、円弧状凹面を与える横断面形状の基部側ストッパ部２８ｂが、それぞれ形成されている。そして、それら一対のアーム部２４，２６の先端側部位における、先端側ストッパ部２８ａ，２８ａ及び基部側ストッパ部２８ｂ，２８ｂにて囲まれる一対のアーム部２４，２６の間の空間が、レンズ収納部２０として形成されているのである。なお、かかるレンズ収納部２０の周りに位置する先端側ストッパ部２８ａ，２８ａ間の間隙、窓部２４ｄ，２６ｄの大きさ、及び基部側ストッパ部２８ｂ，２８ｂ間の間隙は、何れも、レンズ収納部２０内に収納、保持されるＨＣＬ１８の最小サイズのもののレンズ径よりも小さくされていることは、勿論である。また、一対のアーム部２４，２６の基部側に位置する両側壁２４ａ，２４ｂ；２６ａ，２６ｂが大きく切り欠かれて、それら一対のアーム部２４，２６の対応する側壁２４ａ，２６ａ間と側壁２４ｂ，２６ｂ間に、レンズ取出し用の指先差込み窓部２７ａ，２７ｂが、それぞれ、形成されている。
【００２４】
加えて、かくの如く一対のアーム部２４，２６から構成されるレンズホルダ１６にあっては、図３及び図４に明らかにされているように、それら一対のアーム部２４，２６のレンズ収納部２０における開口溝２４ｃ，２６ｃの両側壁２４ａ，２４ｂ；２６ａ，２６ｂが、それぞれ、かかる一対のアーム部２４，２６における対応する側壁２４ａ，２６ａ間と側壁２４ｂ，２６ｂ間において、所定間隙の非直線状（ここでは、湾曲した波形形状）のスリット３０ａ，３０ｂを、一対のアーム部２４，２６の垂下（立設）方向に延びるように形成しているのである。しかも、それら開口溝２４ｃ，２６ｃの両側壁２４ａ，２４ｂ；２６ａ，２６ｂの対応するものの間に形成される２つの非直線状のスリット３０ａ，３０ｂは、レンズホルダ１６を構成するアーム部２４又は２６における両側壁２４ａ，２４ｂ又は２６ａ，２６ｂの対向方向において非対称となるように、換言すれば図５（ａ）及び（ｃ）において、紙面に垂直な方向において非対称となるように、配設されているのである。なお、それら２つの非直線状のスリット３０ａ，３０ｂの幅は、一般に、従来のレンズホルダにおけるスリット幅と同様な程度とされることとなるが、レンズ径が７．６ｍｍから１１．５ｍｍに至る極めて幅広い規格に係るＨＣＬ１８の抜け出しを充分に阻止する上において、ここでは、０．５〜１．５ｍｍ程度の間隙幅が、有利に採用されることとなる。
【００２５】
このように、本実施形態に係るＨＣＬ用収納ケース１０にあっては、二連構造において設けられたレンズホルダ１６の各々が、一対のアーム部２４，２６にて構成されてなると共に、それら一対のアーム部２４，２６の間に形成されるレンズ収納部２０に位置する、それらアーム部２４，２６の開口溝２４ｃ，２６ｃの両側壁２４ａ，２４ｂ；２６ａ，２６ｂの部位が、それぞれ、対応する側壁間において、所定間隙の非直線状のスリット３０ａ，３０ｂを形成しており、しかも、それら両側に位置する非直線状のスリット３０ａ，３０ｂが、両側壁２４ａ，２４ｂ；２６ａ，２６ｂの対向方向に非対称となるように、配設されていることによって、一対のアーム部２４，２６の先端を拡開するようにして、それぞれの開口溝２４ｃ，２６ｃ内に、ＨＣＬ１８を入り込ませて、レンズ収納部２０内に収納、保持せしめてなる状態において、かかるＨＣＬ１８が、如何なる動きをしても、レンズ収納部２０から外部に抜け出すようなことはないのである。
【００２６】
すなわち、図５（ａ）〜（ｃ）には、レンズ径が７．６〜１１．５ｍｍの規格における最も大きなレンズ径のＨＣＬ１８ａと最も小さなレンズ径のＨＣＬ１８ｂとが、一対のアーム部２４，２６間に形成されるレンズ収納部２０内に収納されてなる状態が示されているが、そこにおいて、大きなレンズ径のＨＣＬ１８ａは、レンズ収納部２０内において、それ程大きな動きをするものではないものの、レンズ径の小さなＨＣＬ１８ｂにあっては、かかるレンズ収納部２０内において、かなり大きく動き得ることとなるところ、そのようなレンズ径の小さなＨＣＬ１８ｂが大きく動いても、一対のアーム部２４，２６の垂下（立設）方向に延びるスリット３０ａ，３０ｂが非直線状形態とされ、しかも、両側のスリット３０ａ，３０ｂが非対称となるように構成されていることによって、レンズ径の小さなＨＣＬ１８ｂにあっても、両側のスリット３０ａ，３０ｂから、外部に抜け出すようなことが効果的に阻止されることとなるのである。
【００２７】
これに対して、それら両側のスリット（３０ａ，３０ｂ）が、アーム部２４，２６の垂下方向に直線状に設けられていると、そのような直線状のスリットから、レンズ径の小さなＨＣＬ１８ｂは抜け出し易くなるのであり、また、それらスリット（３０ａ，３０ｂ）が非直線状形態において配設されていても、その両側のスリット（３０ａ，３０ｂ）が対称的に配置されている場合にあっては、レンズ径の小さなＨＣＬ１８ｂがレンズ収納部２０内において各種の移動形態をとったとき、それのレンズ収納部２０内における動きと共に、スリットの非直線状の形状の如何によって、ＨＣＬ１８ｂが抜け出す恐れが生じることがあるのである。
【００２８】
ところで、上述のようなレンズホルダ１６にあっては、レンズ径の大きなＨＣＬ１８ａは勿論のこと、レンズ径の小さなＨＣＬ１８ｂにあっても、一対のアーム部２４，２６間に形成されるレンズ収納部２０内に収納せしめられて、確実に保持され、外部に抜け出すようなことがないところから、ＨＣＬ１８ｂの大小に拘わらず、そのようなレンズホルダ１６に保持せしめた状態下において、ＨＣＬ１８を流水等にて濯ぐことも可能となるのであって、これにより、ＨＣＬ装用者の利便性も大きく向上せしめられ得ることとなる。
【００２９】
しかも、本実施形態に係るレンズホルダ１６は、キャップ１４の天板部１４ａから一体的に垂下する形態において、キャップ１４との一体樹脂成形品として構成されているところから、キャップ１４とレンズホルダ１６とが一部品となり、これによって、部品点数の減少となり、収納ケース１０の生産性が効果的に高められ得ると共に、組付け性が効果的に改善せしめられ得て、その製造コストの低減も、有利に図り得ることとなるのである。
【００３０】
また、上述の如き二連のレンズホルダ１６，１６は、図１（ｃ）、図２（ａ），（ｂ）及び図３（ｂ），（ｃ）等から明らかな如く、それぞれの固設部位の周囲が薄肉部とされて、それぞれのレンズホルダ１６，１６の形成された天板部１４ａ部位が、協働して、キャップ１４の外方に、或いは内方に、山形形状に突出せしめられ得る押込部３２が、形成されている。具体的には、キャップ１４の天板部１４ａにおける二連のレンズホルダ１６，１６の形成部位を取り囲むように、キャップ１４外方に開口する小判形状乃至は長円形状の外側溝部３４が形成され、この外側溝部３４の底部によって、薄肉部が構成されていると共に、それら二連のレンズホルダ１６，１６の対向方向外側に位置する両側の外側溝部３４の部分によって与えられる薄肉部が、それぞれ、外側ヒンジ部３６，３６を構成しているのである。また、天板部１４ａの二連のレンズホルダ１６，１６の間に位置する部位には、図２（ｂ）や図３（ｃ）に示される如く、キャップ１４内方に開口する内側溝部３８が形成されて、この内側溝部３８にて与えられる天板部１４ａの薄肉部が、中央ヒンジ部４０として構成されている。なお、そのような中央ヒンジ部４０の両端部は、図５（ａ）に示される如く、内側溝部３８の底部から、それぞれ、二連のレンズホルダ１６，１６の形成部位と外側溝部３４との間に形成される薄肉部に連続的に接続されるようになっている。
【００３１】
そして、それら二連のレンズホルダ１６，１６は、図２（ｂ）や図６（ａ）に示されるように、その主たる平面が互いに平行となるように対向配置されてなる形態においては、中央ヒンジ部４０を頂部とするキャップ１４外方に凸なる山形形状の押込部３２を形成するように構成されている一方、後述せるように、かかる押込部３２のキャップ１４内方への押込み操作によって、中央ヒンジ部４０や外側ヒンジ部３６，３６のヒンジ作用にて、かかる押込部３２が反転して、それが、図６（ｂ）に示される如く、キャップ１４の内方に凸なる山形形状を形成してなる形態において、保持されるようになっており、これによって、二連のレンズホルダ１６，１６は、その基部からＶ字状に拡開されることとなって、それぞれのレンズホルダ１６，１６に対する左右のＨＣＬ１８，１８の収納操作や、それらレンズホルダ１６，１６のレンズ収納部２０，２０内に収納、保持されている左右のＨＣＬ１８，１８の取出し操作が、容易に行われ得ることとなるのである。
【００３２】
このように、本実施形態に係るＨＣＬ用収納ケース１０においては、装用者の左右のＨＣＬ１８，１８の収納、保持構造をコンパクトな構造において実現するべく、レンズホルダ１６が、二連構造において、キャップ１４の天板部１４ａから垂下するように一体的に配設されているのであるが、そのような二連構造のレンズホルダ１６，１６に対する左右のＨＣＬ１８，１８の収納・取出しを容易に行うべく、それら二連のレンズホルダ１６，１６は、図６（ａ）及び（ｂ）に示される如く、キャップ１４の天板部１４ａに対して直立状態と拡開状態とが容易に選択し得るようになっているのである。
【００３３】
すなわち、先述の如く、二連のレンズホルダ１６，１６が配設された部位の周りの天板部１４ａが薄肉部とされ、更に、二連のレンズホルダ１６，１６間に形成された中央ヒンジ部４０と、それら二連のレンズホルダ１６，１６の対向方向外側に位置して設けられた２つの外側ヒンジ部３６，３６にて形成される、図６（ａ）に示される如き外方に凸なる山形の押込部３２を、親指等にて、キャップ１４内方に押し込むことによって、それら中央ヒンジ部４０やその両側の外側ヒンジ部３６，３６のヒンジ作用によって、図６（ｂ）に示される如く、キャップ１４の内方に凸なる山形形状に変位せしめられ、これにより、二連のレンズホルダ１６，１６が、天板部１４ａからＶ字状に拡開されてなる形態に変化せしめられることとなるのである。
【００３４】
そして、そのようなＶ字状拡開状態において、左右のＨＣＬ１８，１８が、それぞれ、２本の指にて挟持された状態において、それぞれのレンズホルダ１６の一対のアーム部２４，２６の先端を拡開するようにして入り込ませ、更にレンズ収納部２０内にＨＣＬ１８を収納、保持せしめたり、また、レンズ収納部２０内に収納、保持されているＨＣＬ１８を、一対のアーム部２４，２６の基部側に設けた両側の大きな指先差込み窓部２７ａ，２７ｂに、指先を差し込み、一対のアーム部２４，２６を、その基部側から拡開しつつ、ＨＣＬ１８を挟持した状態において、一対のアーム部２４，２６の先端側に移動せしめるようにすることによって、ＨＣＬ１８の取り出しが行われるのである。従って、そのようなＨＣＬ１８の収納操作や取出し操作は、二連のレンズホルダ１６，１６がＶ字状に拡開されていることによって、他方のレンズホルダ１６の干渉を受けることなく、簡単に且つ容易に、その操作を行うことが出来ることとなるのである。また、図６（ｂ）に示される拡開状態において、ＨＣＬの収納操作や取出し操作が行われた後、それら拡開されたレンズホルダ１６，１６を、相互に接近するように、指にて、押圧乃至は挟圧することによって、容易に、図６（ａ）の状態に復帰するようになるのであり、そしてその状態において、キャップ１４を容器本体１２に螺合せしめることにより、図１に示される如き形態のＨＣＬ用収容ケース１０として取り扱われることとなるのである。
【００３５】
このように、ＨＣＬ用収納ケース１０における左右のＨＣＬ１８，１８を収納、保持する二連のレンズホルダ１６，１６に対する収納、取出し操作において、キャップ１４の天板部１４ａに形成される山形の押込部３２を単に指先で押し込むだけで、二連のレンズホルダ１６，１６はＶ字状に拡開して、左右のＨＣＬ１８，１８のそれぞれの収納操作や取出し操作が、他方のレンズホルダ１６による干渉を避けつつ、簡単に且つ容易に行い得ることとなるのであり、これによって、二連のレンズホルダ１６，１６を近接、配置せしめることが可能となり、以て、ＨＣＬ用収納ケース１０全体のより一層のコンパクト化も、容易に実現せしめ得ることとなるのである。
【００３６】
以上、本発明の代表的な実施形態について詳述してきたが、それは、あくまでも例示に過ぎないものであって、本発明は、そのような実施形態に係る具体的な記述によって、何等限定的に解釈されるものではないことが、理解されるべきである。
【００３７】
例えば、上記した実施形態においては、キャップ１４とレンズホルダ１６とが樹脂の一体成形品にて構成されて、部品点数の低減に寄与せしめられているが、勿論、それらキャップ１４とレンズホルダ１６とを別体の部品にて構成して、それらを嵌合や螺合等によって一体的に組み付け、固設せしめてなる構造とすることも可能であり、更に、レンズホルダ１６を構成する一対のアーム部２４、２６の基部を相互に連結する形態にあっても、例示の構造に限定されるものではなく、適宜の連結構造とすることが可能である。
【００３８】
また、レンズホルダ１６は、ここでは、二連構造においてキャップ１４の天板部１４ａから垂下するように設けられているが、そのようなレンズホルダ１６の一つのみが、キャップ１４に設けられるように構成することの他、容器本体の両側からレンズホルダ付きのキャップを、それぞれ、螺合せしめるようにした構造のもの等、公知の各種の容器本体（１２）とキャップ（１４）との組合せ構造を採用することが可能である。
【００３９】
さらに、レンズホルダ１６を構成する一対のアーム部２４，２６の対応する側壁間に形成される非直線状のスリット３０ａ，３０ｂにあっても、ここでは、所定幅（間隙）で延びる、湾曲した波形形状において設けられているが、これに変えて、くの字状の屈曲部の組合せからなる鋸歯状のスリットであっても、何等差支えなく、また湾曲したスリットと屈曲したスリットとの組合せを採用することも可能であり、加えて、非直線状のスリット３０ａ，３０ｂにおける湾曲部や屈曲部の数にあっても、適宜に選定され得るところである。更に、スリット３０ａ，３０ｂの幅にあっても、例示の如く一定の場合の他、スリット幅をアーム部２４，２６の垂下方向に変化させることも可能である。
【００４０】
加えて、レンズホルダ１６の一対のアーム部２４，２６における開口溝２４ｃ，２６ｃに一体的に形成された先端側ストッパ部２８ａや基部側ストッパ部２８ｂにあっても、各種の構造や配設形態が採用され得るところであり、例えば、先端側ストッパ部２８ａにあっては、一対のアーム部２４，２６の先端部が充分に相互に接近する構造が採用されるならば、かかる先端側ストッパ部２８ａの配設を不要とすることが可能であり、また基部側ストッパ部２８ｂにあっても、アーム部２４、２６自体を、相互に接近する方向に湾曲せしめて、ストッパ部としてレンズ収納部２０内に収納、保持されているＨＣＬ１８が、指先差込み窓部２７ａ，２７ｂ側に移動しないように構成する等、公知の各種のレンズ移動規制手段を採用することが出来る。
【００４１】
その他、一々列挙はしないが、本発明は、当業者の知識に基づいて、種々なる変更、修正、改良等を加えた態様において実施され得るものであり、更に、そのような実施の態様が、本発明の趣旨を逸脱しない限りにおいて、何れも、本発明の範疇に属するものであることは、言うまでもないところである。
【符号の説明】
【００４２】
１０    ハードコンタクトレンズ用収納ケース
１２    容器本体                      １２    容器本体
１４    キャップ                      １４ａ  天板部
１４ｂ  外周筒部                      １６    レンズホルダ
１８    ハードコンタクトレンズ        ２０    レンズ収納部
２２    内部空間                      ２４，２６  アーム部
２４ａ，２４ｂ，２６ａ，２６ｂ  側壁
２４ｃ，２６ｃ  開口溝                ２７ａ，２７ｂ  指先差込み窓部
２８ａ  先端側ストッパ部              ３０ａ，３０ｂ  非直線状のスリット
３２    押込部                        ３４    外側溝部
３６    外側ヒンジ部                  ３８    内側溝部
４０    中央ヒンジ部
【図１】
2019080676.tif 000003
【図２】
2019080676.tif 000004
【図３】
2019080676.tif 000005
【図４】
2019080676.tif 000006
【図５】
2019080676.tif 000007
【図６】
2019080676.tif 000008